(57)【要約】      （修正有）【課題】投射システム、投射装置、および画像情報媒体のラベルを読んで認識する光学像認識モジュールを用いる画像認識機能を備える投射システム、投射装置、及び画像情報媒体を提供する。【解決手段】投射モジュール１２を配置するための収納空間を有する中空筐体１１による本体１において、画像情報媒体１３は投射モジュール１２の投射経路に配置され、光学像認識モジュール２は、画像情報媒体１３の後ろに配置され、光学像認識モジュール２の光学リーダー２１は、画像情報媒体１３のラベル１３３を読み取り、制御モジュールは、開口１３２に対応する画像情報媒体１３の画像情報を認識し、マルチメディア再生ユニットは対応する音声を再生する。【選択図】図１
2016057625.tif 000002
【特許請求の範囲】
【請求項１】
表面にラベルが形成される画像情報媒体と、
可視光を発生させる可視光源及び前記可視光源の横に配置される画像化モジュールを備え、前記可視光源と前記画像化モジュールとの間に投射経路が形成される投影モジュールと、
読み取り領域を備え、前記投射経路外に配置される光学像認識モジュールと、を有し、
前記画像情報媒体が前記投射経路に配置され、前記ラベルが前記光学像認識モジュールの前記読み取り領域に置かれ、前記光学像認識モジュールが前記読み取り領域の前記ラベルを認識する、画像認識機能を有する投射システム。
【請求項２】
前記光学像認識モジュールが前記ラベルからラベル像を受ける光学像センサーを含む請求項１に記載の投射システム。
【請求項３】
前記光学像認識モジュールが制御モジュールを含み、
前記制御モジュールは前記光学像センサーに電気的に接続されてラベル像を処理し、
前記制御モジュールが制御信号を生じさせる前記ラベル像を認識する請求項１に記載の投射システム。
【請求項４】
さらに、前記光学像認識モジュールがマルチメディア再生ユニットを含み、
前記マルチメディア再生ユニットが前記制御モジュールに電気的に接続され、
前記マルチメディア再生ユニットが前記制御信号を受け取り、前記制御信号に従ってマルチメディアデータを再生させる請求項３に記載の投射システム。
【請求項５】
さらに、マルチメディア再生ユニットを含み、
前記マルチメディア再生ユニットは前記制御モジュールに電気的に接続され、
前記マルチメディア再生ユニットが前記制御信号を受け取り、前記制御信号に従ってマルチメディアデータを再生させる請求項３に記載の投射システム。
【請求項６】
前記画像情報媒体は透過する情報領域と非投影領域とを有し、
前記非投影領域が前記透過する情報領域を囲み、前記ラベルが前記非投影領域に配置される請求項１に記載の投射システム。
【請求項７】
前記画像情報媒体が情報領域と非投影領域とを有し、
前記非投影領域は支持板であり、
前記情報領域は透過するフィルムであり、
前記ラベルが前記支持板に配置され、
前記支持板は開口を有し、前記透過するフィルムが前記開口に露出され、
前記透過するフィルムが前記投射経路に配置される請求項１に記載の投射システム。
【請求項８】
前記画像情報媒体が２つのローラーと輪状の非投影領域とを有し、
前記ラベルは前記輪状の非投影領域に形成され、
前記輪状の非投影領域は開口を有し、
情報領域が前記開口に露出し、
前記情報領域は透過するフィルムであり、
前記ローラーは前記輪状の非投影領域の内側に配置され、
複数の貫通孔が前記輪状の非投影領域の端に形成され、
各前記ローラーが少なくとも１つの突起を有し、
前記突起と前記貫通孔とが前記輪状の非投影領域を動かすために相互に作用する請求項１に記載の投射システム。
【請求項９】
前記ラベルは２次元のコードである請求項１に記載の投射システム。
【請求項１０】
前記２次元のコードはドットコードである請求項９に記載の投射システム。
【請求項１１】
前記ラベルは、赤外線を吸収するインクで印刷される請求項１に記載の投射システム。
【請求項１２】
さらに、前記光学像認識モジュールは第２光源を有し、前記第２光源は前記ラベルに赤外線を照射する請求項１１に記載の投射システム。
【請求項１３】
ラベルによって画像情報媒体を投影するように構成される投射装置であって、
可視光源及び画像化モジュールを備え、前記可視光源と前記画像化モジュールとの間に投射経路が形成される投影モジュールと、
前記投射経路外に配置される光学像認識モジュールと、
前記光学像認識モジュールに電気的に接続されるマルチメディア再生ユニットと、
前記投射装置に電力を供給する電源ユニットと、を有し、
前記画像情報媒体が前記投射経路に配置された場合に、前記光学像認識モジュールが前記ラベルを認識し、前記ラベルから索引データを読み取り、制御信号を前記マルチメディア再生ユニットに伝える投射装置。
【請求項１４】
前記光学像認識モジュールが、前記ラベルからラベル像を受ける光学像センサーを有する請求項１３に記載の投射装置。
【請求項１５】
さらに、前記光学像認識モジュールが、前記ラベルに赤外線を照射する第２光源を有する請求項１４に記載の投射装置。
【請求項１６】
前記光学像認識モジュールは、前記光学像センサーに電気的に接続されて前記ラベル像を処理する制御モジュールを有し、
前記制御モジュールは前記制御信号を生じさせる前記ラベル像を認識する請求項１４に記載の投射装置。
【請求項１７】
光学像認識モジュールによってプロジェクターで用いられるように構成される画像情報媒体であって、
情報領域と、
前記情報領域を囲みラベルが配置される非投影領域と、を有し、
前記情報領域が前記プロジェクターによって表示される場合に、前記光学像認識モジュールが前記ラベルから索引データを読む画像情報媒体。
【請求項１８】
前記ラベルが２次元コードである請求項１７に記載の画像情報媒体。
【請求項１９】
前記２次元コードがドットコードである請求項１８に記載の画像情報媒体。
【請求項２０】
前記情報領域は映写用スライドである請求項１７に記載の画像情報媒体。
【請求項２１】
前記非投影領域は固定構造及び開口を有し、
前記固定構造は前記開口に前記情報領域を固定する請求項１７に記載の画像情報媒体。
【請求項２２】
前記非投影領域は複数の貫通孔を有し、
前記画像情報媒体は複数の突起を有するローラーを含み、
前記突起は前記貫通孔と相互に作用する請求項１７に記載の画像情報媒体。
【請求項２３】
画像情報媒体を投影するように構成され、前記画像情報媒体が情報領域及び前記情報領域に隣接した非投影領域を有し、ラベルが非投影領域に配置される、画像認識機能を有する投射システムであって、
スロット及び開口を有する筐体であって、前記スロットが前記筐体内に広がり、前記画像情報媒体を固定するためのくさび機構が配置される筐体と、
前記開口に配置されると共に少なくとも一部が前記筐体に配置される画像化モジュールと、
前記筐体に配置される可視光源であって、光路が前記可視光源と前記画像化モジュールとの間に前記スロットを通るように形成される可視光源と、
前記筐体の前記光路外に配置され、光学像センサー及び処理装置を含む光学像認識モジュールと、
前記筐体に固定され、前記光学像認識モジュールに電気的に接続されるマルチメディア再生ユニットと、を有し、
前記画像情報媒体が前記スロットに配置されたときに前記くさび機構が前記画像情報媒体を固定し、前記情報領域は前記光路に配置される透過するフィルムであり、前記可視光源によって生じる光は前記情報領域及び前記画像化モジュールを通って前記情報領域に記録される情報を投影スクリーンに投影し、前記光学像認識モジュールは制御信号を生じさせる前記ラベルを認識し、前記マルチメディア再生ユニットは前記制御信号に従ってマルチメディアデータを再生する投射システム。
【請求項２４】
さらに、前記光学像認識モジュールが第２光源を有し、ラベル像が前記光学像センサー及び前記第２光源を用いて読み取られる請求項２３に記載の投射システム。
【請求項２５】
画像認識機能を有し、本体及び光学像認識モジュールを含む投射システムであって、
前記本体の筐体が投射モジュールを有し、情報領域、複数の開口、及びラベルを含む画像情報媒体が前記投射モジュールの投射経路に配置され、
前記光学像認識モジュールは前記本体の前記画像情報媒体の後ろに配置され、
前記光学像認識モジュールが前記画像情報媒体の前記ラベルの位置に対応する光学リーダーを有し、
前記光学リーダーが制御モジュールに電気的に接続され、前記制御モジュールが前記ラベルのバーコードを認識するように構成される処理装置を有し、
前記処理装置が、記録されたデータを有するデータ記憶素子及び現在表示されている情報領域に対応する言語音を再生するように構成されるマルチメディア再生ユニットに電気的に接続される投射システム。
【請求項２６】
収納空間が前記投射モジュールを固定するように構成される前記筐体に形成され、
スロットが、前記筐体の側面に配置されて前記光学像認識モジュールを挿入するように構成され、
位置決め空間が前記スロットと横に通じ、前記位置決め空間が前記スロットの後ろに形成され、
前記位置決め空間が前記光学像認識モジュールと結合するように構成される請求項２５に記載の投射システム。
【請求項２７】
複数のラベル及び複数の開口が前記画像情報媒体に形成され、
前記ラベルが前記情報領域に露出される開口の内側又は外部に配置され、
前記ラベル及び前記開口が環状に配置され、前記ラベル及び前記開口が互いに交互に配列される請求項２５に記載の投射システム。
【請求項２８】
前記ラベルは、前記画像情報媒体の後ろ表面に添付されるステッカーであり、
前記ステッカーには１次元又は２次元のバーコードが印刷される請求項２７に記載の投射システム。
【請求項２９】
前記筐体の前記スロットにはストッパーが配置され、
前記ストッパーは、前記光学像認識モジュールの前記光学リーダーの所定の光源によって提供され前記情報領域を通過する光を反射するように、前記画像情報媒体の前に置かれて前記開口の１つに対応する請求項２５に記載の投射システム。
【請求項３０】
前記投射モジュールが可視光源及び前記可視光源に電力を供給する電源ユニットを有し、
画像化モジュールが前記可視光源の前に配置され、前記画像情報媒体が前記可視光源及び前記画像化モジュールの間に配置される請求項２５に記載の投射システム。
【請求項３１】
前記筐体に原動力デバイスが配置され、
前記原動力デバイスが伝動機構及びモーターを含み、
前記モーターが前記電源ユニットに電気的に接続され、
前記モーターが前記画像情報媒体を動かすための前記伝動機構を動かす請求項３０に記載の投射システム。
【請求項３２】
前記筐体に能動回路が配置され、
前記能動回路は前記モーターのマイクロコントローラーに電気的に接続され、
前記マイクロコントローラーは無線伝送モジュールに電気的に接続され、
前記処理装置が前記無線伝送モジュールに電気的に接続され、
前記無線伝送モジュールが前記能動回路に制御信号を伝送するように構成される請求項３１に記載の投射システム。
【請求項３３】
前記光学像認識モジュールはモジュール筐体を含み、
光学像センサーを有する前記光学リーダーは前記モジュール筐体の側面に配置され、
前記ラベルをデータ記憶素子内のデータと対比することによって前記制御モジュールの前記処理装置が制御信号を出力し、
前記マルチメディア再生ユニットが前記制御信号に従って、現在の情報領域に対応する音声を再生し、
前記処理装置が電力モジュール及びボタンユニットに電気的に接続され、
前記ボタンユニットが前記筐体から突き出ており、
前記電力モジュールが前記投射システムに電力を供給する請求項２５に記載の投射システム。
【請求項３４】
前記処理装置は録音ユニットに電気的に接続され、前記録音ユニットが内蔵された録音チップ又は外部のマイクロフォンである請求項２５に記載の投射システム。
【発明の詳細な説明】
【技術分野】
【０００１】
本出願は、２０１４年９月１０日に出願された台湾特許出願Ｎｏ．１０３１３１１９８の優先権を主張し、その全てを包含する。
【背景技術】
【０００２】
本出願は、画像認識機能を有する投射システム、投射装置、及び画像情報媒体、ラベルによって情報媒体を再生するように構成される投射装置及び方法、特に、投射システム、投射装置、画像情報媒体及び方法に関する。ここで、投射装置は本体に配置され、光学像認識モジュールが投射装置の横に配置され、光学像認識モジュールがラベルを読んで認識するように構成される。
【０００３】
従来のプロジェクターは、ランプのような高い輝度の可視光源及び投射モジュールを含み、映写用スライドを表示するために利用される。投射モジュールは、ビーム結合レンズ及びフォーカスレンズを含む。熱線吸収ガラスは、映写用スライドの熱による損傷を防ぐため、映写用スライドとフォーカスレンズとの間に配置される。光源により供給された光は、視聴者が見ることができるように拡大された像をスクリーンに投影するために、映写用スライド及びレンズを通る。
【０００４】
図１８は、映写用スライドを置くためのステージを含む従来のプロジェクターである。光源で生じる光は、反射素子で反射され、映写用スライドを通過し、他の反射素子で反射され、スクリーンに映写用スライドの情報を映す。慣例的に、プロジェクターはエンターテイメントのために用いられ、映写用スライドは家族及び友人により鑑賞される。しかしながら、プロジェクターは、観衆の注意を引き付けるため又はプレゼンテーションの焦点を強くするために、教育又はビジネスプレゼンテーションに次第に利用されるようになってきている。加えて、プロジェクターの大きさが小さくなると同時に、プロジェクターの機能は維持され、又はさらに高められなければならない。従来のプロジェクターは、利用者の機能的な要求を満足させることができていない。そのため、多機能のプロジェクターが求められている。
【先行技術文献】
【特許文献】
【０００５】
【特許文献１】特開２００８−２０５８１４号公報
【発明の概要】
【０００６】
投射システム、投射装置、および画像情報媒体のラベルを読んで認識する光学像認識モジュールを用いる画像認識機能を備える投射システム、投射装置、及び画像情報媒体が提供される。
【発明が解決しようとする課題】
【０００７】
本発明の第１の目的は、投射モジュールを配置するための収納空間を有する中空筐体による本体を提供することである。画像情報媒体は投射モジュールの投射経路に配置される。光学像認識モジュールは、画像情報媒体の後ろに配置される。光学像認識モジュールの光学リーダーは、画像情報媒体のラベルを読み取る。制御モジュールは、開口に対応する画像情報媒体の画像情報を認識し、マルチメディア再生ユニットは対応する音声を再生する。本発明の実施形態の投射システムは、統合された投影と音声再生機能とをもたらす。
【０００８】
本発明の第２の目的は、画像情報媒体が投射モジュールの投影軸に垂直である投射システムを提供することである。複数の開口は、情報領域を露出するように環状に配置される。ここで、複数のラベルは、開口の内部又は外部に配置される。スロット１１０は収納空間に接続される。スロットは、筐体の側面に配置される。画像情報媒体はスロットに挿入されることができる。スロットの後部は位置決め空間と横に通じている。光学像認識モジュールは位置決め空間に結合される。可視光源からの光は情報領域及び画像化モジュールを通過し、拡大像を投影する。光学リーダー及び制御モジュールは、開口の画像情報媒体の現在投影されている情報を読み取り、マルチメディア再生ユニットが現在の情報領域に対応する話、記事説明、声又は音を再生させる。その結果、投射された像は、音再生と組み合わさって、容易に学習効果を改善する働きをする。
【０００９】
本発明の第３の目的は、円の又は縦材の画像情報媒体がモーターによって互いに回転すると、画像情報媒体の開口の一つが投射モジュールの可視光源の光路に動かされる投射システムを提供することである。可視光源から出た光は、情報領域及び画像化モジュールを通り、スクリーン又は壁に拡大像を投影する。
【００１０】
本発明の第４の目的は、光学像センサーがラベルを検出し、処理装置が現在の情報領域の情報を得るためにデータ記憶素子の対応する情報を検索し、マルチメディア再生ユニットが対応する音声を出力するために処理装置２２１から制御信号を受け取る投射システムを提供する。
【００１１】
本発明の第５の目的は、ラベルが開口の内部又は外部に配置される投射システムを提供する。ラベルは画像情報媒体に直接印刷され、又はステッカーに印刷されて画像情報媒体の後部表面に貼り付けられることができる。ステッカー及び開口は環状に配置され、互いに交互に配置される。また、ラベルは開口の情報領域に印刷されることができる。筐体のスロットにはストッパーが配置される。ストッパーは画像情報媒体の前に置かれ、光学像認識モジュールの光学リーダーの所定の光源によって提供され情報領域を通る光を反射するように開口の１つに対応する。光学リーダーは、投射モジュールの投影の影響を受けることなく、画像情報媒体のラベルを読み取る。投射モジュールが画像情報媒体の開口の１つに対応するとき、光学リーダーは開口における情報領域の次の又は任意のラベルに対応する。開口における現在の画像情報媒体の情報が認識される。
【００１２】
本発明の第６の目的は、原動力デバイスが筐体の収納空間に配置される投射システムを提供する。原動力デバイスは伝動機構及びモーターを含んでいる。モーターは、筐体の上から突き出る制御スイッチ、電源ユニット、又は電力モジュールに電気的に接続されている。伝動機構は、画像情報媒体の端の歯に噛み合うギアであることができる。他の実施形態では、伝動機構が画像情報媒体のシャフトに結合される。制御スイッチが押されたとき、モーターは画像情報媒体を回転するために伝動機構を動かす。画像情報媒体の開口の位置は、容易に変えられる。投射モジュール、光学リーダー、及び制御モジュールは、次の開口の情報領域に従って投射及び音声再生機能を実行する。
【００１３】
本発明の第７の目的は、処理装置が無線伝送モジュールに電気的に接続される投射システムを提供する。一実施形態では、制御信号が外部の電気デバイス（例えば、Ｂｌｕｅｔｏｏｔｈ（登録商標）増幅器、スマートＴＶ、ノートブック、スマートフォン、タブレット、多機能プロジェクター）に、音を再生し、像を投影し、ソフトウエア又は音声データを更新し、オンライン授業を行い、テレビ会議を実施し、又は本体が自動的に投射メディアを投影することを要求するために伝送される。
【００１４】
本発明の第８の目的は、能動回路が筐体の収納空間に配置される投射システムを提供する。能動回路は、原動力デバイスのモーターに電気的に接続されるマイクロコントローラーを有する。マイクロコントローラーは、無線伝送モジュールに電気的に接続される。処理装置は無線伝送モジュールを通り無線伝送モジュールに制御信号を伝送する。そして、モーターは、ラベル又は時間系列に従って像を投影し又は音を再生する画像情報媒体を動かすための伝動機構を動かす。
【００１５】
本発明の第９の目的は、マルチメディア再生ユニットが、内蔵された録音チップ又は外部のマイクロフォンであることができる録音ユニットに電気的に接続される投射システムを提供する。一実施形態では、ボタンユニットが押された場合に、処理装置がデータ記憶素子及び音声を受け録音するための録音ユニットを制御する。光学像認識モジュールはボイスレコーダーであることができる。一実施形態では、新しい録音が情報領域に対応するように作り出される。例えば、情報領域が使用者の生活の写真から成り、新しい録音が生活の写真に対応するように作り出される。
【００１６】
詳細な説明が添付の図面を参照して以下の実施形態に与えられる。
【図面の簡単な説明】
【００１７】
本発明は、後述の詳細な説明及び添付図面を参照して実施例を読むことによって、さらに十分に理解される。
【図１】本発明の第１実施形態の正面図である。
【図２】本発明の第１実施形態の上面図である。
【図３】本発明の第１実施形態の側面図である。
【図４】本発明の画像情報媒体の正面図である。
【図５】本発明の他の画像情報媒体の平面図である。
【図６】本発明のさらに他の画像情報媒体の平面図である。
【図７】本発明の実施形態の画像情報媒体の構成図である。
【図８】本発明の実施形態のラベルを示す図である。
【図９】本発明の第１実施形態のブロック図である。
【図１０】本発明の第２実施形態の正面図である。
【図１１】本発明の第２実施形態の上面図である。
【図１２】本発明の第３実施形態の側面図である。
【図１３】本発明の第４実施形態のブロック図である。
【図１４】本発明の第５実施形態のブロック図である。
【図１５】本発明の第５実施形態のフローチャートである。
【図１６】本発明の第６実施形態のブロック図である。
【図１７】本発明の第７実施形態のブロック図である。
【図１８】従来のプロジェクターの側面図である。
【発明を実施するための形態】
【００１８】
上記に示される目的及び効果を達成するために、技術的手段及びその構造が図に示される。
【００１９】
図１から図９は、正面図、上面図、側面図、画像情報媒体の正面図、他の画像情報媒体の平面図、さらに他の画像情報媒体の平面図、更にその他の画像情報媒体の構造図、実施形態のラベル、本発明の第１実施形態のブロック図である。本発明の実施形態は、本体１及び光学像認識モジュール２を含む。
【００２０】
本体１は、投射モジュール１２を配置するための収納空間１１１を有する中空筐体１１である。画像情報媒体１３は、投射モジュール１２の投射経路に配置される。画像情報媒体１３は、投射モジュール１２の投射軸に垂直に配置される。スロット１１０は収納空間１１１に通じている。スロット１１０は筐体１１の側面部に配置され、画像情報媒体１３はスロット１１０に挿入されることができる。スロット１１０の後部は、位置決め空間１１２に横に通じている。光学像認識モジュール２は、位置決め空間１１２に結合する。
【００２１】
本体１の投射モジュール１２は、可視光源１２１と可視光源１２１に電力を供給する電源ユニット１２２（例えば、バッテリー又は他の電源に電気的に接続される電源投入回路）を含む。画像化モジュール１２３は可視光源１２１の前面に配置され、画像情報媒体１３は可視光源１２１と画像化モジュール１２３との間（光軸上）に配置される。画像情報媒体１３は、非投影領域１３０を有する。開口１３２は非投影領域１３０に形成される。情報領域１３１は、開口１３２に露出される。ラベル１３３は開口１３２の内部又は外部に形成される。または、複数の開口１３２が、情報領域１３１を露出するように環状に配置される。ここで、複数のラベル１３３は開口１３２の内部又は外部に配置され、ラベル１３３の数が開口１３２の数と同じになる。ラベル１３３は画像情報媒体１３に直接印刷され、又はステッカー（不図示）に印刷されて画像情報媒体１３の後部表面に付されることができる。ステッカー及び開口１３２は環状に配置され、互いに交互に配置される。画像情報媒体１３は縦材であっても良く、情報領域１３１は同じ長さを保って配置される。画像情報媒体１３は２つのローラー１３４によって形成されるローラー構造を有する輪状の画像情報媒体１３であっても良く、情報領域１３１及びラベル１３３は画像情報媒体１３に配置され、少なくとも１つの貫通孔１３０１が画像情報媒体１３の端に形成される。ローラー１３４は貫通孔１３０１に結合する少なくとも１つの突起１３４１を有する。二つのローラー１３４は互いに回転し、画像情報媒体１３を回転させる。ラベル１３３は、１次元バーコード、２次元バーコード、ドットコード、ＱＲコード（登録商標）、又は特定の領域に形成されたデータマトリックスであっても良い。
【００２２】
従来のスライドショーとは異なり、図５に示されるように、画像情報媒体１３は情報領域１３１及び非投影領域１３０を有する。図５の画像情報媒体１３及びプロジェクターは、投射システムを構成することができる。ここで、画像情報媒体１３の情報は、投射されることができ、そして、非投影領域１３０のラベルのデータは光学像認識モジュール２（電気的にプロジェクターに接続される）によって読み取られる。
【００２３】
光学像認識モジュール２はモジュール筐体２０を有する。光学像センサー２１１を有する光学リーダー２１はモジュール筐体２０の側面に配置される。光学像センサー２１１はＣＭＯＳ、ＣＣＤ，又は他のセンサーであることができる。制御モジュール２２はモジュール筐体２０に固定される。制御モジュール２２は回路基板（不図示）を有する。制御モジュール２２の回路基板は、処理装置２２１を有する。処理装置２２１は光学リーダー２１の光学像センサー２１１に電気的に接続される。処理装置２２１は、データ記憶素子２２２、マルチメディア再生ユニット２２３、ボタンユニット２２４（モジュール筐体２０の上に突き出ている）、及び電力供給モジュール２２５に電気的に接続される。光学像センサー２１１及び処理装置２２１は、回路基板に付属するシステムチップ（チップ上のシステム）、個別チップ、又は基板の回路基板に付属するダイ（基板上のチップ）として形成される。
【００２４】
処理装置２２１は光学像センサー２１１から電気信号を受け取る。電気信号は、処理され認識された像である。その後、処理装置２２１は、データ記憶素子２２２の対応する情報を電気信号に従って読み取り、制御信号又はマルチメディア信号を出力する。データ記憶素子２２２は、フラッシュメモリー、消去可能ＰＲＯＭ（erasable programmable read only memory）、又はスロットに差し込まれたメモリーカードであることができる。マルチメディア再生ユニット２２３は、制御信号又はマルチメディア信号に従って、作動し又は音等を再生する。例えば、マルチメディア再生ユニット２２３は処理装置２２１から音信号を受け取り、それに応じて声又は音を再生する。ボタンユニット２２４は、マルチメディア再生ユニット２２３を制御し、音を再生又は音量を調整するために押されることができる。また、ボタンユニット２２４は、電力供給モジュール２２５の起動又は停止のために押されることができる。マルチメディア再生ユニット２２３は、アンプ、スピーカー、ヘッドホン、又は他の音声再生器であることができる。
【００２５】
実施形態の操作は、後述される。最初に、光学像認識モジュール２が本体１の位置決め空間１１２に配置される。光学リーダー２１は、画像情報媒体１３のラベル１３３の一つ（例えば図４のラベル“ａ”）に対応する。ボタン２２４は押されるために筐体１１の位置決め空間１１２から出ている。一実施形態では、光学像認識モジュール２のボタン２２４が省略されてもよく、光学像認識モジュール２がビープ音又は声のような音を自動的に供給する。円の又は縦材の画像情報媒体１３がモーターによって互いに回転すると、画像情報媒体１３の開口１３２の一つ（例えば図４のラベル“Ａ”）が投射モジュール１２の可視光源１２１の光路に動かされる。可視光源１２１からの光は、情報領域１３１及び画像化モジュール１２３を通過し、スクリーン又は壁に拡大イメージを映し出す。画像化モジュール１２３の焦点距離は互いに修正されることができる。画像情報媒体１３はスロット１０から取り換えることができる。
【００２６】
投射モジュール１２の投射では、光学像センサー２１１がラベル１３３（例えば図４のラベル“ａ”）を検出し、処理装置２２１が現在の情報領域の情報を得るためにデータ記憶素子２２２の対応する情報を探し、そしてマルチメディア再生ユニット２２３が対応する声又は音を出力するために処理装置２２１から制御信号を受け取る。一実施形態では、光学像認識モジュール２がモジュール筐体２０によって本体１に配置される。他の実施形態では、モジュール筐体２０が省略される。この場合、光学像認識モジュール２はくさびで固定され、ねじで固定され、接着剤で付着され、又は他の方法によって位置決め空間１１２に結合されることができる。光学リーダー２１及び制御モジュール２２は、開口１３２における画像情報媒体１３の現在の投射された情報を読み取り、マルチメディア再生ユニット２２３が現在の情報領域１３１に対応する話、記事説明、声又は音を再生させる。その結果、投射された像は、音再生と組み合わさって、容易に学習効果を改善する働きをする。
【００２７】
光学像認識モジュール２及びマルチメディア再生ユニット２２３は、無線又は有線通信を介して通信される。光学像認識モジュール２と本体との間で、使用者が情報領域１３１を使用する時、光学像認識モジュール２がラベル１３３を読み取る。本体１、光学像認識モジュール２、及びマルチメディア再生ユニット２２３は、単一の筐体又は異なるデバイスに配置されることができる。
【００２８】
発明の実施形態では、ラベル１３３はより複雑な方法でコード化されることができる。画像情報媒体１３が動いたとき、光学像認識モジュール２はラベル１３３を読み取り、ラベル１３３の情報（例えば、音情報）を直接読み取るために像が処理されて情報が解読され、制御信号を生じさせる。マルチメディア再生システムは情報を再生する。この実施形態では、ラベル１３３は複雑な情報を含み、比較過程が省略され、メモリーにある話データへの要求がない。
【００２９】
図１０から図１３は、第２実施形態の正面図及び上面図、第３実施形態の側面図、及び第４実施形態のブロック図を示している。これらの実施形態では、ラベル１３３が開口１３２の内部又は外部に並んで交互に配置されている。実施形態では、ラベル１３３が開口１３２の情報領域１３１に印刷されることができる。ストッパー１１３は筐体１１のスロット１１０に配置され、ストッパー１１３は画像情報媒体１３の正面に配置され、光学像認識モジュール２の光学リーダー２１の所定の光源（例えばＬＥＤ）によって生じ、情報領域１３１を通る光を映すための開口１３２の１つに対応する。光学リーダー２１は投射モジュール１２の投射の影響を受けることなく画像情報媒体１３のラベル１３３を読み取る。投射モジュール１２が画像情報媒体１３の開口１３２の一つ（例えば図４のラベル“Ａ”）に対応するとき、光学リーダー２１は開口１３２における情報領域１３１の次の又は任意のラベル１３３（例えば図４のラベル“Ｂ”）に対応する。開口１３２における現在の画像情報媒体１３の情報が認識される。ラベル１３３の１次元又は２次元コードの大きさは小さく、表示されず映されない非投影領域１３０に印刷される。
【００３０】
画像情報媒体１３は不透明な物質で作られる２層基板であっても良い。その２層を通り抜ける開口１３２が基板に形成される。情報領域１３１は２層間に埋め込まれる。情報領域１３１は開口１３２に出される。他の実施形態では、画像情報媒体１３が複数の開口１３２を有する基板である。（溝に嵌める、シートをプレスする等の）固定構造は、開口１３２に情報領域１３１を固定する。情報領域１３１は、映写用スライド及び映写用スライドを囲むフレームを含む。情報領域１３１は固定構造を介して基板及びフレームに固定されることができ、映写用スライドが開口１３２に出される。ラベル１３３は、フレーム又は開口１３２付近の基板に印刷され、又は付着される。
【００３１】
一実施形態では、原動力デバイス１４が筐体１１の収納空間１１１に配置される。原動力デバイス１４は伝動機構１４１及びモーター１４２を含んでいる。モーター１４２は、筐体１１の上から突き出る制御スイッチ１４３、電源ユニット１２２、又は電力モジュール（不図示）に電気的に接続されている。伝動機構１４１は、画像情報媒体１３の端の歯（不図示）に噛み合うギアであることができる。他の実施形態では、伝動機構１４１が画像情報媒体１３のシャフトに結合される。制御スイッチ１４３が押されたとき、モーター１４２は画像情報媒体を回転するために伝動機構１４１を動かす。画像情報媒体の開口１３２の位置は、容易に変えられる。投射モジュール１２、光学リーダー２１、及び制御モジュール２２は、次の開口１３２の情報領域１３１に従って投射及び音声再生機能を実行する。
【００３２】
図１４から図１７は、第５実施形態のブロック図及びフローチャート、第６及び第７実施形態のブロック図である。能動回路１５は筐体１１の収納空間１１１に配置される。能動回路１５は、原動力デバイス１４のモーター１４２に電気的に接続されるマイクロコントローラー１５１を有する。マイクロコントローラーは、無線伝送モジュール１５２に電気的に接続される。
【００３３】
一実施形態において、処理装置２２１は無線伝送モジュール２２６に電気的に接続される。無線伝送モジュール１５２及び無線伝送モジュール２２６は、Ｂｌｕｅｔｏｏｔｈ（登録商標）無線伝送インターフェース、２．４Ｇ  ＲＦ，Ｗｉ−Ｆｉ（登録商標），又は他の無線伝送インターフェースであることができる。一実施形態では、能動回路１５が簡略化されることができる。例えば、処理装置２２１は無線伝送モジュール２２６を通り無線伝送モジュール１５２に制御信号を伝送する。そして、モーター１４２は、ラベル１３３又は時間系列に従って像を投影し又は音を再生する画像情報媒体１３を動かすための伝動機構１４１を動かす。一実施形態では、制御信号が外部の電気デバイス（例えば、Ｂｌｕｅｔｏｏｔｈ（登録商標）増幅器、スマートＴＶ、ノートブック、スマートフォン、タブレット、多機能プロジェクター）に、音を再生し、像を投影し、ソフトウエア又は音声データを更新し、オンライン授業を行い、テレビ会議を実施し、又は本体１が自動的に投射メディアを投影することを要求するために伝送される。
【００３４】
光学像認識モジュール２は、以下の手順に従ってラベル１３３を認識する。
（１０１）開始。
（１０２）光学像認識モジュール２の光学リーダー２１が、制御モジュール２２によって画像情報媒体１３のラベル１３３を検出する。
（１０３）ラベル１３３が有効か否かを判断する。“ＹＥＳ”ならばステップ（１０４）に進み、“ＮＯ”ならばステップ（１０２）に戻る。
（１０４）送信を行うかどうかを判断する。“ＹＥＳ”ならばステップ（１０５）に進み、“ＮＯ”ならばステップ（１０６）に進む。
（１０５）無線伝送を行う。
（１０６）再生処理を実行するかどうかを判断する。“ＹＥＳ”であればステップ（１０７）に進み、“ＮＯ”であればステップ（１０２）に進む。
（１０７）音声の再生を行う。
【００３５】
上記のステップに示されるように、光学像認識モジュール２は、ラベル１３３を検出する光学リーダー２１の光学像センサー２１１を用い、処理装置２２１がデータ記憶素子２２２の一致するデータを検索する。ラベル１３３が有効なラベルとして判断される場合には、それに応じて制御信号が作り出される。ラベル１３３が無効なラベルであると判断される場合には、ラベル１３３が有効なラベルであるとして判断されるまで、ラベル１３３が引き続き検出される。次に、処理装置２２１はボタンユニット２２４が押されたかどうかが判断され、制御信号が無線伝送モジュール２２６を介して伝送される。
【００３６】
しかし、処理装置２２１が無線伝送を行うことを決めた場合、制御信号は無線伝送モジュール２２６から無線伝送モジュール１５２に伝送され、投影像を切り替えるためにモーター１４２が画像情報媒体１３を動かすための伝動機構１４１を駆動させる。または、音声を再生し又は他の機能を実行するために無線伝送モジュール２２６を介して電子デバイス外の無線伝送モジュールに制御信号を送信する。加えて、処理装置２２１が無線伝送を行わないと判断した場合、処理装置２２１は音声を再生するかどうかを判断する。処理装置２２１が音声を再生すると判断した場合、制御信号が対応する音声を再生するためにマルチメディア再生ユニット２２３に伝送される。処理装置２２１が音声を再生しないと決めた場合には、光学像センサー２１１は引き続きラベル１３３を検出する。
【００３７】
一実施形態では、マルチメディア再生ユニット２２３が、内蔵された録音チップ又は外部のマイクロフォンであることができる録音ユニット２２７に電気的に接続される。一実施形態では、ボタンユニット２２４が押された場合に、処理装置２２１がデータ記憶素子２２２及び音声を受け録音するための録音ユニット２２７を制御する。言い換えれば、光学像認識モジュール２はボイスレコーダーであることができる。一実施形態では、新しい録音が情報領域１３１に対応するように作り出される。例えば、情報領域が使用者の生活の写真から成り、新しい録音が生活の写真に対応して作り出される。
【００３８】
一実施形態では、画像情報媒体１３及び投影モジュール１２を有し、画像認識機能を伴う投射システムが提供される。ラベル１３３は画像情報媒体１３の表面に形成される。投影モジュール１２は、可視光を供給する可視光源１２１、可視光源１２１の横に配置される画像化モジュール１２３を有する。ここで、投射経路は可視光源１２１と画像化モジュール１２３との間に形成され、光学像認識モジュール２が投射経路の外側に配置される。また、光学像認識モジュール２は読み取り領域を有する。画像情報媒体１３が投射経路に配置されるとき、ラベル１３３が光学像認識モジュール２の読み取り領域に配置され、光学像認識モジュール２が読み取り領域でラベル１３３を認識する。
【００３９】
一実施形態では、光学像認識モジュール２が光学像センサー２１１を有し、光学像センサー２１１がラベル１３３からラベル像を受け取る。光学像認識モジュール２は制御モジュール２２を有し、制御モジュール２２は光学像センサー２１１に電気的に接続されてラベル像を処理し、制御モジュール２２が制御信号を生じさせるラベル像を認識する。さらに、光学像認識モジュール２はマルチメディア再生ユニット２２３を有し、マルチメディア再生ユニット２２３は制御モジュール２２に電気的に接続される。そして、マルチメディア再生ユニット２２３は制御信号を受け取り、制御信号に従ってマルチメディアデータを再生させる。さらに、投射システムはマルチメディア再生ユニット２２３を有する。ここで、マルチメディア再生ユニット２２３は制御モジュール２２に電気的に接続される。マルチメディア再生ユニット２２３は制御信号を受け、制御信号に従ってマルチメディアデータを再生する。画像情報媒体１３は透過する情報領域１３１及び非投影領域１３０を有する。非投影領域１３０は透過する情報領域１３１を囲み、ラベル１３３が非投影領域１３０に配置される。画像情報媒体１３は、情報領域１３１及び非投影領域１３０を有し、非投影領域１３０は支持板となっている。情報領域１３１は透過するフィルムであり、ラベル１３３は支持板に配置される。支持板は開口１３２を有し、透過するフィルムは開口に露出され、投影経路に配置される。画像情報媒体１３は２つのローラー１３４及び輪状の非投影領域１３０を有する。ラベル１３３は輪状の非投影領域１３０に形成され、輪状の非投影領域１３０は開口１３２を有する。情報領域１３１は開口１３２に露出され、情報領域１３１は透過するフィルムである。ローラー１３４は輪状の非投影領域１３０の内側に配置される。複数の貫通孔１３０１は輪状の非投影領域１３０の端に形成される。各ローラー１３４は少なくとも１つの突起１３４１を有し、突起１３４１及び貫通孔１３０１は輪状の非投影領域１３０を動かすために相互に作用する。ラベルは２次元バーコードである。２次元コードはドットコードである。ラベル１３１は赤外線を吸収するインクで印刷される。さらに、光学像認識モジュール２は、第２光源２３（図２参照）を有する。第２光源はラベル１３３に赤外線を当てる。他の実施形態では、ラベル１３３が赤外線の吸収がなく又はほとんどないインクにより印刷されるとき、第２光源２３は可視光源であることができる。
【００４０】
一実施形態では、画像情報媒体１３をラベル１３３により投影するように構成される投射装置が提供される。投射装置は、投射モジュール１２、光学像認識モジュール２、マルチメディア再生ユニット２２３、及び電源ユニット１２２を有している。投射モジュール１２は可視光源１２１及び画像化モジュール１２３を有する。ここで、投射経路は可視光源１２１と画像化モジュール１２３との間に形成される。光学像認識モジュール２は投射経路外に配置される。マルチメディア再生ユニット２２３は、光学像認識モジュール２に電気的に接続される。電源ユニット１２２は、投射装置のための電力を供給する。ここで、画像情報媒体１３が投射経路に配置されたとき、光学像認識モジュール２がラベル１３３を認識し、ラベル１３３から索引データを読み取り、制御信号をマルチメディア再生ユニット２２３に伝送する。
【００４１】
一実施形態では、光学像認識モジュール２が光学像センサー２１１を有し、光学像センサー２１１はラベル１３３からラベル像を受け取る。さらに、光学像認識モジュール２は第２光源２３（図２参照）を有し、第２光源２３がラベルに赤外線を照射する。光学像認識モジュール２は制御モジュール２２を有し、制御モジュール２２は光学像センサー２１１に電気的に接続され、そこからラベル像を処理し、制御モジュール２２が制御信号を発生させるラベル像を認識する。マルチメディア再生ユニット２２３は、制御信号に従ってマルチメディアデータを再生する制御モジュール２２に電気的に接続される。
【００４２】
一実施形態では、光学像認識モジュール２によってプロジェクターで利用されるように構成される画像情報媒体１３が提供される。画像情報媒体１３は情報領域１３１及び情報領域１３１を囲む非投影領域１３０を有し、ラベル１３３が非投影領域１３０に配置される。情報領域１３１がプロジェクターによって表示されるとき、光学像認識モジュール２はラベル１３３から索引データを読む。ラベルは２次元のバーコードである。２次元コードはドットコードである。ラベル１３３は、赤外線を十分に吸収するインクによって印刷される。情報領域１３１は映写用スライドである。非投射領域１３０は、固定構造及び開口１３２を有し、固定構造は開口１３２に情報領域１３１を固定する。非投射領域１３０は、複数の貫通孔１３０１を有し、画像情報媒体１３はローラー１３４を含み、ローラー１３４は十分な突起１３４１を有し、突起１３４１は貫通孔１３０１と相互に作用する。
【００４３】
一実施形態では、画像認識機能による投射システムが提供される。投射システムは、情報領域１３１及び情報領域１３１に隣接する非投射領域１３０を有する画像情報媒体１３を投影するのに適する。ここで、ラベル１３３が非投射領域１３０に配置され、筐体１１はスロット１１０及び開口を有し、スロット１１０は筐体１１に広がり、くさび機構が画像情報媒体１３を固定する筐体に配置され、画像化モジュール１２３が開口に配置され、少なくとも画像化モジュール１２３の一部が筐体１１に配置され、可視光源１２１が筐体１１に配置される。また、光路が可視光源１２１と画像化モジュール１２３との間に形成され、光路がスロット１１０を通り、光学像センサー２１１及び処理装置２２１を有する光学像認識モジュール２が筐体１１の光路外に配置され、マルチメディア再生ユニット２２３が筐体１１に固定されて光学像認識モジュール２に電気的に接続される。画像情報媒体１３がスロット１１０に配置されるとき、くさび機構が画像情報媒体１３をくさびで固定する。情報領域１３１は光路に配置される透過するフィルムであり、可視光源１２１によって生じる光は情報領域１３１及び画像化モジュール１２３を通り、情報領域１３１に記録された情報を映写幕に投影する。光学像認識モジュール２は制御信号を生じさせるラベル１３３を認識し、マルチメディア再生ユニット２２３が制御信号に従ってマルチメディアデータを再生する。
【００４４】
一実施形態では、さらに、光学像認識モジュール２が第２光源２３（図２参照）を有し、ラベル像が光学像センサー２１１及び第２光源２３を用いて読み取られる。さらに、投射システムはマルチメディアデータを保存するデータ記憶素子２２２を有し、情報領域１３１が光路に垂直である。
【００４５】
クレーム要素を修正するために、クレームにおいて「第１」、「第２」、「第３」等の序数詞の使用は、それ自身の意味によって、何ら優先事項、優先権、又は他の又は方法の行為が実行される時間的順序を超えた一つのクレーム要素の順序を含まない。しかし、序数詞は単に幾つかの名前を有する一つのクレーム要素が同じ名前を有する他の要素から区別するためのラベルとして用いられる（序数詞の使用を別にすれば）。
【００４６】
発明の実施形態の画像認識機能を有する投射システムは、像を露出したスクリーン又はランプボックス、リールテレスコープ、又は双眼鏡のような携帯機器の内側に配置されるスクリーンに投影する。像が携帯機器の内側のスクリーンに投影されるとき、像は他の光源によって影響されず、他の人々によって鑑賞される事もない。
【００４７】
発明は、例として及び望ましい実施形態に関して記載されたが、発明は開示された実施形態に限定されない。それどころか、（当業者に明らかな）様々な変更及び同様のアレンジを含む。その結果、添付の特許請求の範囲は、変更及び同様のアレンジ全てを包含するために最大限広範な解釈が認められるべきである。
【符号の説明】
【００４８】
１  …  本体
２  …  光学像認識モジュール
１１  …  中空筐体
１２  …  投射モジュール
１３  …  画像情報媒体
１４  …  原動力デバイス
１５  …  能動回路
２０  …  モジュール筐体
２１  …  光学リーダー
２２  …  制御モジュール
２３  …  第２光源
１１０  …  スロット
１１１  …  収納空間
１１２  …  位置決め空間
１１３  …  ストッパー
１２１  …  可視光源
１２２  …  電源ユニット
１２３  …  画像化モジュール
１３０  …  非投影領域
１３１  …  情報領域
１３２  …  開口
１３３  …  ラベル
１３４  …  ローラー
１４１  …  伝動機構
１４２  …  モーター
１５１  …  マイクロコントローラー
１５２  …  無線伝送モジュール
２１１  …  光学像センサー
２２１  …  処理装置
２２２  …  データ記憶素子
２２３  …  マルチメディア再生ユニット
２２４  …  ボタンユニット
２２５  …  電力供給モジュール
２２６  …  無線伝送モジュール
２２７  …  録音ユニット
１３０１  …  貫通孔
１３４１  …  突起
【図１】
2016057625.tif 000003
【図２】
2016057625.tif 000004
【図３】
2016057625.tif 000005
【図４】
2016057625.tif 000006
【図５】
2016057625.tif 000007
【図６】
2016057625.tif 000008
【図７】
2016057625.tif 000009
【図８】
2016057625.tif 000010
【図９】
2016057625.tif 000011
【図１０】
2016057625.tif 000012
【図１１】
2016057625.tif 000013
【図１２】
2016057625.tif 000014
【図１３】
2016057625.tif 000015
【図１４】
2016057625.tif 000016
【図１５】
2016057625.tif 000017
【図１６】
2016057625.tif 000018
【図１７】
2016057625.tif 000019
【図１８】
2016057625.tif 000020